(57)【特許請求の範囲】
【請求項１】
金属部品（ＰＭ）上で電気コンポーネント（２６）を組み立てるために加熱されることを意図されている導電性の該金属部品（ＰＭ）、および金属部品（ＰＭ）上に組み立てられる電気コンポーネントとの間に安全距離を残して金属部品（ＰＭ）と接合されて、ホルダ（１２）の密着性を保障し、低い融点をもつマス（１４）を含む合成材料でできている部品（ＰＳ）を含む、電気コンポーネント（２６）のためのホルダ（１２）であって、合成材料でできている部品（ＰＳ）が、高い融点をもつマス（１６）を含み、高い融点をもつマス（１６）が、低い融点をもつマス（１４）と金属部品（ＰＭ）の間に挿入されており且つ低い融点をもつマス（ＰＳ）より融点が高い材料でできており、これにより、電気コンポーネントを半田付けによって組立てるために金属部品を加熱するときに過剰な温度上昇によって低い融点を持つマス（１４）が破損する危険を防いでいる、電気コンポーネント（２６）のためのホルダ。
【請求項２】
高い融点をもつマス（１６）の材料がポリエーテルエーテルケトン、高温ポリエーテルエーテルケトンおよび液晶ポリマから選択される、請求項１に記載のホルダ（１２）。
【請求項３】
低い融点をもつマス（１４）の材料がフェニレンポリサルファイドおよびポリ臭化テルフェニルから選択される、請求項１に記載のホルダ（１２）。
【請求項４】
高い融点をもつマス（１６）が金属部品（ＰＭ）上にオーバーモールドされる、請求項１に記載のホルダ（１２）。
【請求項５】
低い融点をもつマス（１４）が高い融点をもつマス（１６）上にオーバーモールドされる、請求項４に記載のホルダ（１２）。
【請求項６】
ホルダ（１２）およびホルダ（１２）上に組み立てられる電気コンポーネント（２６）を含む電気装置（１０）であって、ホルダ（１２）が請求項１に記載のホルダであることを特徴とする、電気装置（１０）。
【請求項７】
電気コンポーネント（２６）がホルダ（１２）の金属部品（ＰＭ）上でフィラー材料を伴って半田付けされる、請求項６に記載の電気装置（１０）。
【請求項８】
電気コンポーネント（２６）がホルダ（１２）の金属部品（ＰＭ）上でフィラー材料を伴わずに半田付けされる、請求項６に記載の電気装置（１０）。
【発明の詳細な説明】
【技術分野】
【０００１】
本発明は、電気コンポーネントのためのホルダならびにそのホルダおよび電気コンポーネントを含む電気装置に関する。
【０００２】
本発明は、具体的には、その上に電気コンポーネント、例えば半導体チップがフィラー材料を伴ってまたは伴わずに半田付けによって組み立てられるホルダに適用される。
【背景技術】
【０００３】
その上で電気コンポーネントを組み立てるために加熱されることを意図されている導電性の金属部品と、合成材料でできており、金属部品と接合されてホルダの密着性を保障し、低い融点をもつマスを備える部品とを含む、電気コンポーネントのためのホルダは既に技術水準において知られている。
【０００４】
一般的に、低い融点をもつマスは、特に経済的な理由で小さな熱抵抗をもつ材料でできており２００℃より低い比較的低い融点を有する。
【０００５】
コンポーネントを、フィラー材料を伴ってまたは伴わずに半田付けによって組み立てるために金属部品はコンポーネント近傍で、局部的に例えば３００℃に達する場合がある半田付け温度に加熱しなければならない。
【０００６】
したがって、合成材料でできている部品を過度の温度上昇から保護するために、金属部品上で、合成材料でできている部品と半田付けされるコンポーネントの間に十分な安全距離が残されていなければならない。
【０００７】
その結果、金属部品のマスの比較的大きな部分はコンポーネントの組立て中にのみ有用でありホルダおよびこのホルダを含む電気装置の寸法が増加する。
【発明の概要】
【発明が解決しようとする課題】
【０００８】
本発明の主な目的は、電気コンポーネントのためのホルダであり、そのホルダ内で金属部品の寸法が比較的小さく、そのホルダ上でコンポーネントを組み立てる最中に合成材料でできた部品に破損の危険がない電気コンポーネントのためのホルダを提案することである。
【課題を解決するための手段】
【０００９】
したがって本発明は、上記のタイプのホルダであって、合成材料でできている部品が高い融点をもつマスを含み、高い融点をもつマスが、低い融点をもつマスと金属部品の間に挿入されており且つ低い融点をもつマスより融点が高い材料でできていることを特徴とするホルダに関する。
【００１０】
高い融点をもつマスの融点は、低い融点をもつマスのそれよりも大きいので、コンポーネントと合成材料でできている部品の間の安全距離を少なくすることまたはなくすことさえ可能である。この距離を少なくすることにより電気装置の寸法を小さくすることができる。
【００１１】
さらに、高い融点をもつマスの材料が低い融点をもつマスの材料より高価であるとしても合成材料からできている部品および金属部分の合計のマスを少なくすることでより高価な材料を使用する追加コストを少なくとも部分的にオフセットする。
【００１２】
本発明によるホルダは、１つまたは複数の下記特徴も含むことができる：
−  高い融点をもつマスの材料がポリエーテルエーテルケトン、高温ポリエーテルエーテルケトンおよび液晶ポリマから選択されること、
−  低い融点をもつマスの材料がフェニレンポリサルファイドおよびポリ臭化テルフェニルから選択されること、
−  高い融点をもつマスが金属部分上にオーバーモールドされること、
−  低い融点をもつマスが高い融点をもつマス上にオーバーモールドされること。
【００１３】
本発明は、ホルダおよびそのホルダ上に組み立てられた電気コンポーネントを含む電気装置であって、そのホルダが本発明によるホルダであることを特徴とする電気装置にも関する。
【００１４】
本発明による電気装置は下記特許請求の範囲の１つまたは複数も含むことができる：
−  電気コンポーネントがホルダの金属部分上にフィラー材料と共に半田付けされること、
−  電気コンポーネントがホルダの金属部分上にフィラー材料を伴わず半田付けされること。
【００１５】
本発明は、例として与えられている下記説明を読み、添付図面を参照すれば容易に理解できるであろう。
【図面の簡単な説明】
【００１６】
【図１】本発明による電気装置の断面図である。
【図２】電気コンポーネントを本発明によるホルダ上に組み立てるステップを図示する、図１に示される装置の断面図である。
【発明を実施するための形態】
【００１７】
図１は本発明による電気装置を示している。その装置は全体符号１０で表される。
【００１８】
この装置１０は、その全体形状がプレート形状であるホルダ１２を含む。
【００１９】
具体的には、ホルダ１２は、導電性の金属部品ＰＭおよび金属部品ＰＭに接合されてホルダ１２の密着性を保障している合成材料でできている部品ＰＳを含む。
【００２０】
金属部品ＰＭおよび合成材料でできている部品ＰＳはホルダ１２の両側部によって境界を定められている。
【００２１】
金属部品ＰＭを製作するために使用される材料は例えば銅または鉄などのこともある。
【００２２】
合成材料からできている部品ＰＳは低い融点をもつマス１４を含む。マス１４の融点は大体、例えば２００℃である。
【００２３】
低い融点をもつマス１４の材料は、例えば、フェニレンポリサルファイド（ＰＰＳ）およびポリ臭化テルフェニル（ＰＢＴ）から選択される。
【００２４】
さらに、合成材料でできている部品（ＰＳ）は、低い融点をもつマス１４と金属部品ＰＭの間に挿入されている高い融点をもつマス１６も含む。
【００２５】
より具体的には、高い融点をもつマス１６は、低い融点をもつマス１４より融点が高い材料でできている。例えば、高い融点をもつマス１６の融点は大体３００℃である。
【００２６】
高い融点をもつマス１６は、ポリエーテルエーテルケトン（ＰＥＥＫ）、高温ポリエーテルエーテルケトン（ＰＥＥＫ  ＨＴ）および液晶ポリマ（ＬＣＰ）から選択された材料からできていることが好ましい。
【００２７】
金属部品ＰＭは、合成材料でできている部品ＰＳとの接合、より具体的には高い融点をもつマス１６の第１の縁部２０との接合を形成している縁部１８に結合されている。
【００２８】
低い融点をもつマス１４は、高い融点をもつマス１６の第２の縁部２４との接合を形成している縁部２２に結合されている。
【００２９】
高い融点をもつマス１６の第１および第２の縁部２２および２４と接合を形成する縁部１８および２０は、ホルダ１２の対向する側部の間に延びている。
【００３０】
高い融点をもつマス１６が金属部品ＰＭの接合縁部１８上にオーバーモールドされ、低い融点をもつマス１４が高い融点をもつマス１６の縁部２４上にオーバーモールドされることが有利である。
【００３１】
説明されている例では縁部１８および２０の全体形状と縁部２２および２４の全体形状は補完的な溝（仏語でｆｅｕｉｌｌｕｒｅｓ）である。
【００３２】
電気装置１０は、例えば金属部品ＰＭの第１の側部Ｆ１上に組み立てられた半導体チップタイプの電気コンポーネント２６も含む。
【００３３】
説明されている例ではコンポーネント２６は、フィラー材料と共にホルダ１２の金属部品ＰＭ上に半田付けされる。したがって図１で半田のマス２８は、コンポーネント２６と金属部品ＰＭの第１の側部Ｆ１の間に挿入されている。
【００３４】
半田のマス２８は、場合によっては金属部品ＰＭに半田で取り付けられる、金属部品ＰＭの第１の側部Ｆ１のコーティング（図示せず）から成ることもあり、そのコーティングの材料は例えばニッケルである。
【００３５】
あるいは、コンポーネント２６はフィラー材料を伴わずに金属部品ＰＭの第１の側部Ｆ１上で半田付けされる。
【００３６】
図２は、ホルダ１２上でコンポーネント２６を従来式の半田付け方法によって半田付けするためのステップを図示している。
【００３７】
したがって、半田のマス２８を溶解するために金属部品ＰＭは、金属部品ＰＭの、第１の側部Ｆ１と反対側の第２の側部Ｆ２を例えばレーザビーム３０で照射することによってコンポーネント２６の近傍で加熱される。
【００３８】
あるいは、金属部品ＰＭはコンポーネント２６の近傍でサーモードまたはマイクロフレームで加熱される。
【００３９】
熱は、次いで金属部品ＰＭ内を伝播し、とりわけ合成材料でできた部品ＰＳに達する。
【００４０】
合成材料でできている部品ＰＳは、低い融点をもつマス１４と金属部品ＰＭの間に挿入された高い融点をもつマス１６を含み、過剰な温度上昇によって低い融点をもつマス１４を破損する危険はない。
【００４１】
高い融点をもつマス１６を融点が半田のマス２８の融点より高い材料から製作することによって高い融点をもつマス１６と電気コンポーネント２６の間に計画される安全距離は小さくすることができ、それによって金属部品ＰＭのマスが小さくなる。
【００４２】
したがって本発明により、金属部品ＰＭのマスを少なくすることによって合成材料でできている部品ＰＳのマスを少なくすること、したがって電気装置１０のマスを少なくすることが可能である。
【図１】
0005495372.tif 000002
【図２】
0005495372.tif 000003